(57)【特許請求の範囲】
【請求項１】
円盤状又は半円盤状の文字板を周回するようなリング状をしたリング部材と、
前記リング部材の背面側に配置された光源と、
前記リング部材を照明するための光を導光して前記リング部材に向けて出射する光ガイド部材と、を有する計器であって、
前記リング部材は、前記光源からの光を透過させる透明樹脂で構成され、その前面に、外側に向かうにしたがって徐々に下降していくように傾斜した傾斜面が設けられ、その背面に白色に拡散処理が施されており、
前記傾斜面には、前記文字板上を回転する指針に指示される目盛り等の意匠が形成されており、
前記光ガイド部材は、前記リング部材を周回するようなリング状をしており、前記傾斜面に向けて光を出射する出射部が設けられ、
前記光源に起因する色の前記リング部材の発光色と、前記光ガイド部材から該リング部材の前記傾斜面に出射される光の色とが異なる
ことを特徴とする計器。
【発明の詳細な説明】
【技術分野】
【０００１】
本発明は、車両等に搭載される計器に関し、特に、文字板を周回するようなリング状をした装飾用のリング部材を有する計器に関する。
【背景技術】
【０００２】
近年、車両等においては、円盤状又は半円盤状の文字板を周回するようなリング状をした装飾用のリング部材を有する計器が多用されている。図５は、この種の従来の計器を示す正面図である。図６は、図５におけるＸＸ線断面図である。
【０００３】
この種の計器９は、コンビネーションメータともよばれ、図５及び図６に示すように、速度計９１、エンジン回転計９２、燃料計９３、水温計９４等の各ゲージを備えている。これらゲージは、指針９５及び指針９５にて指示される数字等の意匠が形成された円盤状の文字板９６を備えている。なお、速度計９１には、オド・トリップメータ９１１も組み込まれている。指針９５は、基板９０に搭載されたムーブメント９５１の回転軸が挿着され、各計測値に応じた角度だけ回転する。基板９０には、文字板９６や指針に光を出射する光源９０１や図示しないＩＣチップ等の電子部品が搭載されている。光源９０１からの光を有効利用するために、この計器９の本体ケース９７０の一部には、反射面９７３も一体形成されている。また、各ゲージのうち、速度計９１及びエンジン回転計９２には、文字板９６を周回するようなリング状をした装飾用のリング部材９７が取り付けられている。
【０００４】
更に、計器９の前面（ドライバの視点に近い側）は、上記各ゲージやシフトインジケータ９６１、ウォーニング９６２をくり抜くようにして、黒色樹脂製の見返し９８で覆われ、更に、その前面は、スモーク状の表ガラス９９で覆われている。なお、計器９の外周部には、この計器を車両側に取り付けるためのメータ取付部９７１が本体ケース９７０に一体形成され、本体ケース９７０の裏面側には、裏カバー９７２が取り付けられている。
【０００５】
このような構成において、所定のトリガ信号に応答して、光源９０１が点灯すると、指針９５や文字板９６が照明される。
【０００６】
なお、上記従来技術に関連する先行技術文献情報としては次のものがある。
【特許文献１】特開２００２−２７７２８８号公報
【発明の開示】
【発明が解決しようとする課題】
【０００７】
ところが、上述のような従来の計器９における、リング部材９７による装飾は、ありきたりで斬新さに欠けるものであった。例えば、リング部材９７自体は、立体的に視認されうるが、計器全体の立体感を表現するのには十分でなかった。また、従来の計器９のリング部材９７は固定的であり表現の自由度に欠けるため、例えば、計器９を異なる車種や車格の車両に共用する場合に、それらを差別化することが困難であった。したがって、より深みのある立体感を表現でき、表現の自由度の高い計器が求められている。
【０００８】
よって本発明は、上述した現状に鑑み、深みのある立体感を表現でき、表現の自由度の高い計器を提供することを課題としている。
【課題を解決するための手段】
【０００９】
上記課題を解決するためになされた請求項１記載の計器は、円盤状又は半円盤状の文字板を周回するようなリング状をしたリング部材と、前記リング部材の背面側に配置された光源と、前記リング部材を照明するための光を導光して前記リング部材に向けて出射する光ガイド部材と、を有する計器であって、前記リング部材は、前記光源からの光を透過させる透明樹脂で構成され、その前面に、外側に向かうにしたがって徐々に下降していくように傾斜した傾斜面が設けられ、その背面に白色に拡散処理が施されており、前記傾斜面には、前記文字板上を回転する指針に指示される目盛り等の意匠が形成されており、前記光ガイド部材は、前記リング部材を周回するようなリング状をしており、前記傾斜面に向けて光を出射する出射部が設けられ、前記光源に起因する色の前記リング部材の発光色と、前記光ガイド部材から該リング部材の前記傾斜面に出射される光の色とが異なることを特徴とする。
【発明の効果】
【００２１】
請求項１記載の発明によれば、円盤状又は半円盤状の文字板を周回するようなリング状をしたリング部材は、外側に向かうにしたがって徐々に下降していくように傾斜した傾斜面を有する。リング部材に向けて光を出射する光ガイド部材は、リング部材を周回するようなリング状をしており、外側から傾斜面に向けて光を出射する。したがって、リング部材特にその傾斜面が照明されて立体感を表現できる。また、リング部材の傾斜面を積極的に照明に利用するようにしているので、必要以上にリング部材の厚みが増すこともない。
【００２２】
また、請求項１記載の発明によれば、傾斜面に形成された意匠にも立体感が表現される。したがって、より深みのある立体感を表現できる。また、これにともない意匠の視認性も向上する。
【００２３】
また、請求項１記載の発明によれば、リング部材は透明樹脂からなるとともに背面に白色に拡散処理が施されているので、その傾斜面に形成された目盛り等の意匠の影が、拡散処理が施されている部分に映る。したがって、目盛り等の意匠による立体感も表現できる。
【００２４】
また、請求項１記載の発明によれば、リング部材はその背面側に配置された光源からの光を透過させる材料で形成されているので、傾斜面に照射される光と背面側からの光との色合いを調整することが可能になる。したがって、表現の自由度が高まり、計器を異なる車種や車格の車両に共用しても、それらを差別化することが可能になる。
【００２５】
また、請求項１記載の発明によれば、リング部材の発光色と光ガイド部材から該リング部材の傾斜面に出射される光の色とは異なるので、表現の自由度を更に高めることができる。
【００２６】
また、請求項１記載の発明によれば、リング部材の背面に拡散処理が施されているので、リング部材をムラなく照明することができ照明品質が向上する。したがって、高品質の立体感を表現できる。また、これにともない意匠の視認性もより向上する。
【発明を実施するための最良の形態】
【００２７】
以下、本発明の実施の形態を図面に基づいて説明する。図１は、本発明の一実施形態に係る計器の要部を示す斜視図である。図２は、図１の計器の断面図である。なお、図１の斜視図において、図２で示す断面に相当する部分は断面状に表現されている。
【００２８】
実施形態の計器１は、例えば、単眼メータ、又は、図５で示したようなコンビネーションメータにおける速度計として適用される。図１及び図２に示すように、計器１は、ケース１１、基板１２、文字板１３、拡散板１４、指針１５、リング部材１７、光ガイド部材１８及び見返し１９を含んで構成される。
【００２９】
ケース１１は、例えば、樹脂製であり、この計器１の外形を構成する。ケース１１には、文字板照明用光源１２１からの光を効率的に文字板１３に与えるためのお椀状の傾斜面や指針用光源１２５からの光を効率的に指針１５に与えるための円筒部１１１が一体形成されている。また、ケース１１には、リング部材１７及び光ガイド部材１８の形状に対応した受け構造になっている。
【００３０】
基板１２は、ケース１１に保持されて、文字板照明用光源１２１、リング用光源１２２、光ガイド用光源１２３、ＩＣチップ等の各種の電子部品１２４、指針用光源１２５及びムーブメント１６等を搭載する。各光源１２１、１２２、１２３及び１２５は、周知の発光ダイオードが用いられている。各光源１２１、１２２、１２３及び１２５、特に、リング用光源１２２及び光ガイド用光源１２３は異なる色で発光する。各光源１２１、１２２、１２３及び１２５間は、ケース１１に一体形成された壁によって分離されている。
【００３１】
文字板１３は、例えば、円盤状又は半円盤状の透明生地のポリカーボネイト製である。透明生地の文字板１３には、速度を示す数字意匠１３１等の意匠が中抜きされて、黒色のインクが塗布されている。文字板１３の背面には、拡散板１４が重着されている。拡散板１４は、例えば、白濁色の樹脂製であり、文字板照明用光源１２１からの光を受けて拡散して、文字板１３背面に与える。拡散板１４の文字板照明用光源１２１の対向する部位は、受光効率を上げるために凸状になっている。
【００３２】
指針１５は、ムーブメント１６の回転軸に挿着されている。指針１５は、速度センサからの速度信号に応じた角度だけムーブメント１６に回転されて、文字板１３上の数字意匠１３１等を指示する。指針１５には、その下面に例えば赤色のホットスタンプ層が形成されており、指針用光源１２５からの光を受けて、ホットスタンプ層に基づく色で光輝する。筒状導光板部材は光源１２５からの光を導光して指針１５に与える。
【００３３】
リング部材１７は、円盤状又は半円盤状の文字板を周回するような透明樹脂製のリング状をしている。リング部材１７は、背面側に配置された光源１２２からの光を透過させる材料であればよい。また、リング部材１７は、透光性があれば、薄色で着色されていてもよい。リング部材１７は、外側（指針回転軸と反対方向）に向かうにしたがって徐々に下降していくように傾斜した傾斜面１７０を有している。この傾斜面１７０には、指針１５に指示される意匠としての目盛意匠１７１が例えば印刷形成されている。なお、目盛意匠１７１は凹凸状に形成してもよい。
【００３４】
また、リング部材１７の背面側（ドライバの視点と反対面側）には、リング用光源１２２に対向する部位においてこの光源１２２からの光を拡散させるための拡散処理部１７２が形成されている。拡散処理部１７２は、拡散シートにより実現してもよいし、印刷によって実現してもよい。
【００３５】
光ガイド部材１８は、リング部材１７を周回するようなリング状をしており、例えば、透明樹脂製である。リング部材１７は、光ガイド用光源１２３からの光を導光させる材料であればよい。また、リング部材１７は、導光性があれば、薄青で着色されていてもよい。光ガイド部材１８は、外側から上記傾斜面１７０に向けて光を出射する出射部１８０を有している。光ガイド部材１８は、リング部材１７を照明するためのリング用光源１２２からの光を受けこれを導光して、リング部材１７に向けて出射する。光ガイド部材１８とリング部材１７との間には、リング状のわずかな隙間Ｇが形成されている。
【００３６】
なお、光ガイド部材１８は、例えば、黒色樹脂製の見返し１９で覆われて、ドライバ側からは隠匿されている。また、文字板１３及びリング部材１７を覆うようにして、図示しない表ガラスが取り付けられている。
【００３７】
このような計器１を組み立てるときには、ケース１１に文字板１３を搭載し、リング部材１７及び光ガイド部材１８をこの順にケース１１の対応する部位にはめ込むように取り付けた後、その上から見返し１９を覆うように取り付けるだけでよい。したがって、リング部材１７及び光ガイド部材１８の組み付けも容易である。
【００３８】
このような構成の計器１の作用及び効果について、図３及び図４を加えて説明する。図３及び図４はそれぞれ、本発明の実施形態による作用を説明するための要部断面図及び要部斜視図である。
【００３９】
イグニッションオン時やコンライトスイッチオン時に発生する所定のトリガ信号に応答して、文字板照明用光源１２１、リング用光源１２２、光ガイド用光源１２３、指針用光源１２５が点灯する。まず、文字板照明用光源１２１の点灯により文字板１３が照明され、指針用光源１２５の点灯により指針１５が照明されるが、これらに係る作用は従来通りであるので詳細な説明は省略する。
【００４０】
また、図３及び図４に示すように、リング用光源１２２及び光ガイド用光源１２３が点灯すると、リング用光源１２２からの光Ｌ２及び光ガイド用光源１２３からの光Ｌ１は、図中上方に向かい受光部１８ａに入る。光Ｌ２は、拡散処理部１７２にて拡散されてリング部材１７に入る。これによって、光Ｌ２は均一化され、光Ｌ２に基づく色調でリング部材１７が光輝する。また、光Ｌ１は、光ガイド用光源１２３に導光されて出射部１８０から均一光として出射され、リング部材１７の傾斜面１７０に照射される。傾斜面１７０は、外側に向かうにしたがって徐々に下降していく傾斜面１７０によって、出射部１８０と傾斜面１７０の各部位との距離差が発生し、これに起因して傾斜面１７０の照明に濃淡又は明暗、すなわち、グラデーションが発生する。
【００４１】
このグラデーションは、傾斜面１７０自体のもつ立体感に相乗的に作用して、計器１全体に深みのある立体感を表現できる。グラデーション効果を際だたせるため、例えば、リング用光源１２２に白色発光させ、光ガイド用光源１２３を青色発光させることが好ましい。また、リング部材１７は拡散処理部１７２にて拡散されているので、リング部材１７がムラなく照明されて、高品質の立体感を表現できる。また、これにともないリング部材１７に形成された意匠の視認性もより向上する。
【００４２】
また、リング部材１７の底面を白色にすると、１７１′で示すように、この底面に目盛意匠１７１の影が映りこみ、リング部材１７の厚さを意図的に視認させることも可能となる。これによって、より一層斬新な表現が可能になる。
【００４３】
以上説明したように、本発明の実施形態によれば、リング部材１７自体の立体感にグラデーション効果が加わり、深みのある立体感を表現できる。また、リング部材１７及び光ガイド部材１８がそれぞれ独自の色調で照明可能であるので、表現の自由度が高まり、計器を異なる車種や車格の車両に共用しても、それらを差別化することが可能になる。
【００４４】
また、リング部材１７に形成する意匠は、目盛意匠のみならず数字意匠等であってもよいし、凸状又は凹状に形成してもよい。また、文字板１３は正円であってもよいし、楕円であってもよい。また、本発明の計器は、速度計に限定されるものでなく、エンジン回転計等のような他のゲージにも適用可能である。更に、車両以外に搭載する計器にも適用可能である。
【図面の簡単な説明】
【００４５】
【図１】本発明の一実施形態に係る計器の要部を示す斜視図である。
【図２】図１の計器の断面図である。
【図３】本発明の実施形態による作用を説明するための断面図である。
【図４】本発明の実施形態による作用を説明するための斜視図である。
【図５】この種の従来の計器を示す正面図である。
【図６】図５におけるＸＸ線断面図である。
【符号の説明】
【００４６】
１  計器
１１  ケース
１２  基板
１３  文字板
１４  拡散板
１５  指針
１６  ムーブメント
１７  リング部材
１８  光ガイド部材
１９  見返し
１７０  傾斜面
１８０  出射部
【図１】
0004839053.tif 000002
【図２】
0004839053.tif 000003
【図３】
0004839053.tif 000004
【図４】
0004839053.tif 000005
【図５】
0004839053.tif 000006
【図６】
0004839053.tif 000007